(57)【特許請求の範囲】
【請求項１】
竪樋を支持する支持部と、建物の外壁面に固定される略Ｌ字状の固定部とからなり、
この固定部は、短冊状の金属板状体に折り曲げおよび切欠加工を施して得られるものであって、外壁面に固定される固定片と、前記支持部と連結される連結片とからなり、
この連結片の前記支持部側の端部には、その両側面が隣接するように折り曲げられた円筒状の結合部が設けられ、この結合部は、先端壁部に切欠部が設けられ、
この結合部が前記支持部に設けられた孔に挿入され、この孔の中心軸の周りに回動自在にカシメ連結されていることを特徴とする竪樋支持具。
【請求項２】
結合部が固定片と反対側に位置しており、かつ、結合部近傍の連結片に雨水落下用の孔が設けられている請求項１記載の竪樋支持具。
【発明の詳細な説明】
【０００１】
【発明の属する技術分野】
本発明は、竪樋を建物の外壁面に固定する際に用いる竪樋支持具に関する。
【０００２】
【従来の技術】
従来の竪樋支持具として、たとえば実用新案登録第２５８０２８３号公報において、外壁の目地に支持金具本体を取り付ける取付片を１枚の板体で構成でき、取付片の構造をシンプル化できるとともに、取付片を１枚の板体で構成した構造でありながら、結合部と釘孔を外壁の目地に沿う方向に位置ずれして設けることができ、支持金具本体の釘打ち作業を容易に行うことができるようにしたものが開示されている。
【０００３】
具体的には、竪樋を支える略Ｕ字状の支持金具本体と取付片とからなり、この取付片が１枚の板体で構成され、この板体は、外壁の目地に固定される釘孔付き固定部と、前記支持金具本体の背部にピン軸にて回動可能に結合される結合部と、前記固定部と結合部の各延出方向が略直交するように捩じられた連結部とが一体形成されており、この連結部により結合部と釘孔とが外壁の目地に沿う方向に位置ずれして設けられている竪樋支持具である。
【０００４】
【発明が解決しようとする課題】
しかしながら、上記の竪樋支持具の場合、取付片の結合部を支持金具本体に回動可能に結合するためには、別部材であるピン軸が必要である。また、このピン軸で回動可能に結合するためには、取付片の結合部にピン軸を挿通するための孔を設けなければならない。このように、竪樋支持具を構成している部品数が３であり、しかも取付片の方で余分な部材長さを必要とし、結合部への孔開け加工などのために、製造コストが高くなるという問題があった。
【０００５】
本発明の目的は、部品数の削減によって製造コストを大幅に削減することができる竪樋支持具を提供することである。
【０００６】
【課題を解決するための手段】
請求項１記載の本発明は、竪樋を支持する支持部と、建物の外壁面に固定される略Ｌ字状の固定部とからなり、この固定部は、短冊状の金属板状体に折り曲げおよび切欠加工を施して得られるものであって、外壁面に固定される固定片と、前記支持部と連結される連結片とからなり、この連結片の前記支持部側の端部には、その両側面が隣接するように折り曲げられた円筒状の結合部が設けられ、この結合部は、先端壁部に切欠部が設けられ、この結合部が前記支持部に設けられた孔に挿入され、この孔の中心軸の周りに回動自在にカシメ連結されている竪樋支持具である。
【０００７】
請求項２記載の本発明は、請求項１記載の竪樋支持具において、結合部が固定片と反対側に位置しており、かつ、結合部近傍の連結片に雨水落下用の孔が設けられているものである。
【００１０】
本発明における竪樋支持具を構成している支持部および固定部の材質は合成樹脂、金属のいずれでもよい。また、支持部の形状は、適用される竪樋の形状や構造に応じて決めればよい。
【００１１】
請求項１記載の本発明の竪樋支持具は、竪樋を支持する支持部と、建物の外壁面に固定される略Ｌ字状の固定部との２個の部品にて構成されているので、従来の竪樋支持具に比べて部品数が少なくて済み、竪樋支持具の製造コストを大幅に削減できる。
【００１２】
また、固定部が外壁面に固定される固定片と、支持部と連結される連結片とからなり、この連結片の支持部側の端部に設けられた円筒状の結合部が支持部に設けられた孔に挿入されて孔の中心軸の周りに回動自在にカシメ連結されているので、固定片を支障無く建物の外壁面に固定することができる。
【００１３】
また、結合部が連結片の支持部側の端部がその両側面が隣接するように折り曲げられて円筒状とされているので、短冊状の板状体に折り曲げ加工を施すことで、固定部を得ることができる。
【００１４】
また、結合部の先端壁部に切欠部が設けられているので、この切欠部を利用して良好にカシメ連結を行える。このため、竪樋支持具の組立て作業性が向上する。
【００１５】
請求項２記載の本発明は、請求項１記載の竪樋支持具において、結合部が固定片と反対側に位置しており、かつ、結合部近傍の連結片に雨水落下用の孔が設けられているので、たとえば使用に際して、固定片を上向きにして、ビスなどにて固定片を建物の外壁面に固定することで、連結片の上面に降った雨水は結合部近傍に位置している孔を通して下方に落下する。このため、雨水によって建物の外壁面が濡らされることがない。
【００１６】
【発明の実施の形態】
以下、本発明の実施の形態の一例を図面に基づいて説明する。
図１は本発明の竪樋支持具の第１実施例を示す平面図、図２は図１対応の側面図である。
【００１７】
図１において、１は竪樋支持具であり、竪樋を支持する支持部３と、建物の外壁面Ｗに固定される固定部２とから構成されている。
【００１８】
支持部３は、図１および図２に示すように、角筒状の竪樋４を支持するため平面視ほぼ矩形状をしている。支持部３は、両側部で基部３１と開閉部３２とに２分割され、基部３１と開閉部３２との両端部にそれぞれヒンジ３３と係止部３４とを備えており、ヒンジ３３を中心にして開閉部３２が開閉可能とされているとともに、係止部３４によって開閉部３２がロックおよびロック解除可能とされている。基部３１のほぼ中央部には挿通孔３１１が設けられている。
【００１９】
固定部２は約１４ｍｍ幅の金属板をＬ字状に屈曲したものであり、建物の外壁面Ｗに当接される固定片２１と、支持部３と連結される連結片２２とを備えている。固定片２１には固定用の孔２１１が穿孔され、ビスまたは釘にて外壁面Ｗに固定されるようになっている。連結片２２の先端部にはその両側面が隣接するように、固定片２１とは反対の向きに折り曲げられて円筒状の結合部２３が設けられている（図３参照）。この場合、結合部２３の外径は約４．５ｍｍである。
【００２０】
図４および図５に示すように、結合部２３の先端側の壁部には２個の切欠部２３１が設けられている。また、結合部２３より少し離れた連結片２２のほぼ中央には楕円状の孔２２１が設けられている。この孔２２１は、連結片２２の上面に降った雨水が固定片２１側に流れ伝わって、建物の外壁面Ｗを濡らすのを防止するためのものである。
【００２１】
そして、図３に示すように、支持部３を構成している基部３１の挿通孔３１１に連結片２２の円筒状の結合部２３が挿通され、挿通孔３１１内に位置している結合部２３の先端側が図６に示すように所定のカシメ治具にてラッパ状に拡径され、基部３１と連結片２２とが挿通孔３１１の中心軸の周りに回動自在に連結されることで竪樋支持具１とされている。なお、図６に示すように、挿通孔３１１の開閉部３２側の先端面はラッパ状に拡径されてテーパ面とされている。
【００２２】
つぎに、上記竪樋支持具１を用いて、建物の外壁面Ｗに竪樋４を取り付ける方法について説明する。
【００２３】
まず、竪樋支持具１の固定部２をドライバーを用いてビス５にて外壁面Ｗに固定する。その際、図７に示すように、固定片２１を上側にして固定する。同様にして、外壁面Ｗの上下方向に沿って複数の竪樋支持具１を固定する。
【００２４】
そして、支持部３に竪樋４を支持させるには、係止部３４のロック状態を解除してヒンジ３３を中心にして支持部３を開き、基部３１内に竪樋４をセットし、その後、ヒンジ３３を中心にして支持部３を閉じて係止部３４をロックさせることで竪樋４の取り付けを完了する。
【００２５】
【発明の効果】
請求項１記載の本発明においては、竪樋を支持する支持部と、建物の外壁面に固定される略Ｌ字状の固定部との２個の部品にて構成されているので、従来の竪樋支持具に比べて部品数が少なくて済み、竪樋支持具の製造コストを大幅に削減できる。
【００２６】
また、固定部が外壁面に固定される固定片と、支持部と連結される連結片とからなり、この連結片の支持部側の端部に設けられた円筒状の結合部が支持部に設けられた孔に挿入されて孔の中心軸の周りに回動自在にカシメ連結されているので、固定片を支障無く建物の外壁面に固定することができる。
【００２７】
また、結合部が連結片の支持部側の端部がその両側面が隣接するように折り曲げられて円筒状とされているので、短冊状の板状体に折り曲げ加工を施すことで固定部を得ることができる。
【００２８】
また、結合部の先端壁部に切欠部が設けられているので、この切欠部を利用して良好にカシメ連結を行える。このため、竪樋支持具の組立て作業性が向上する。
【００２９】
請求項２記載の本発明は、請求項１記載の竪樋支持具において、結合部が固定片と反対側に位置しており、かつ、結合部近傍の連結片に雨水落下用の孔が設けられているので、たとえば使用に際して、固定片を上向きにして、ビスなどにて固定片を建物の外壁面に固定することで、連結片の上面に降った雨水は結合部近傍に位置している孔を通して下方に落下する。このため、雨水によって建物の外壁面が濡らされることがない。
【図面の簡単な説明】
【図１】本発明の竪樋支持具の第１実施例を示す正面図である。
【図２】図１対応の側面図である。
【図３】図１の竪樋支持具の組立状態を示す部分説明図である。
【図４】図３における固定部を示す正面図である。
【図５】図４のＸ−Ｘ線での切断端面図である。
【図６】図１の要部を示す部分拡大図である。
【図７】図１の竪樋支持具の使用状態を示す部分説明図である。
【符号の説明】
１  竪樋支持具
２  固定部
２１  固定片
２１１  固定用の孔
２２  連結片
２２１  孔
２３  円筒状の結合部
２３１  切欠部
３  支持部
３１  基部
３１１  挿通孔
３２  開閉部
３３  ヒンジ
３４  係止部
４  竪樋
Ｗ  外壁面
【図１】
0004686073.tif 000002
【図２】
0004686073.tif 000003
【図３】
0004686073.tif 000004
【図４】
0004686073.tif 000005
【図５】
0004686073.tif 000006
【図６】
0004686073.tif 000007
【図７】
0004686073.tif 000008